(57)【特許請求の範囲】
【請求項１】
缶本体の上部に、バルブ機構を収納固定するとともにステムを突出させたバルブ取付筒部が一体に膨出形成されたガスボンベが用いられ、
バーナと、五徳とが設けられた汁受け台と、
上記バーナに燃料ガスを供給するバルブ機構と、このバルブ機構を開閉作動する操作部材とが設けられ、上部には上記汁受け台が取り付けられるとともに下部には上記ガスボンベが装着されるガスボンベ装着部が設けられたコンロ本体とを備えてなり、
上記ガスボンベ装着部には、上記バルブ機構を介して上記バーナ機構に燃料ガスを供給するバルブ孔に連通するガス流路が開口されるとともに、嵌合された上記ガスボンベのバルブ取付筒部を保持するボンベホルダ機構が設けられた嵌合凹部が形成され、
上記ボンベホルダ機構は、上記ガスボンベ装着部の嵌合凹部に形成されて上記ガスボンベのバルブ取付筒部を貫通させる開口部の内周部に形成された環状のボンベ保持部材組付部と、このボンベ保持部材組付部内に少なくともその内周部位の一部を上記開口部内に突出されて組み付けられた弾性材により略Ｕ字状に形成されたボンベ保持部材とからなり、
上記ボンベ保持部材が、上記開口部を介して上記嵌合凹部に押込み嵌合された上記バルブ取付筒部の外周部に形成されたかしめ凹部に弾性変形した状態で相対係合することにより、押し込まれた上記ステムが上記ガス流路の開口部と連通した状態で上記ガスボンベを直接装着することを特徴としたガスコンロ装置。
【請求項２】
上記コンロ本体には、その外周部に、支点部から接地部の長さが装着された上記ガスボンベの高さよりも大きい複数個の設置脚部材がそれぞれ一端部を回動自在に支持されており、
上記各設置脚部材は、使用時にはそれぞれ先端部が装着されたガスボンベの下方に延在するようにして上記コンロ本体から突出するように回動操作されるとともに、未使用時にはそれぞれ上記コンロ本体の外周部に沿って収納するように回動操作されることを特徴とする請求項１に記載のガスコンロ装置。
【請求項３】
上記汁受け台には、複数個の上記五徳が回動自在に片持ち支持されており、
各五徳は、使用時にはそれぞれ先端部が外方へと突出された状態に回動操作されるとともに、未使用時には汁受け台の投影平面内にそれぞれ収納された状態に回動操作されることを特徴とする請求項１又は請求項２のいずれか１項に記載のガスコンロ装置。
【発明の詳細な説明】
【０００１】
【発明の属する技術分野】
本発明は、小型ガスボンベを用い、携帯性に優れるとともに被加熱体を比較的短時間で加熱することが可能な小型のガスコンロ装置に関する。
【０００２】
【従来の技術】
ガスコンロ装置は、適宜の場所に手軽に持ち運びすることができるとともに比較的強い火力を得ることができることから一般家庭用や飲食店等の業務用ばかりでなくアウトドア用等に幅広く用いられている。ガスボンベは、缶本体に対してステムを有するバルブ機構が組み込まれ、内部に比較的活性の低い液化ブタン等の液化燃料ガスが充填されている。ガスボンベは、缶本体の内部で充填された液化燃料ガスの一部が気化することによって内部圧力が外気よりも高い状態となっている。したがって、ガスボンベは、ガスコンロ装置に装填されてステムが押し込まれてバルブ機構が開放されることにより、内部圧力によって燃料ガスをステムから放出する。なお、家庭用に一般的に用いられるガスボンベは、缶本体の直径が約６６ｍｍ、ステムを含む全長が約１８５ｍｍの外形仕様を有している。
【０００３】
アウトドア用等のガスコンロ装置は、簡易な構成であるとともに小型軽量で携帯性を有することが望まれており、例えば特許第２６６３３４０号「携帯用ガスコンロ」（パール金属株式会社）公報に記載された小型ガスコンロ装置等が提案されている。この先願特許の携帯用ガスコンロは、コンロ本体と、バーナと、五徳と、受け皿とから構成され、本体の下部に設けた装着部に直接装着されたガスボンベが汁受け台として作用する。また、この先願特許の携帯用ガスコンロは、コンロ本体に対して五徳が回動自在に支持され、この五徳が任意の位置に回動操作されて使用される。先願特許の携帯用ガスコンロは、構成部品も少なく、未使用時には五徳を縮径した状態とすることでより小型化されることから携帯性の向上が図られて、いわゆるキャンプ用品として極めて好適である。
【０００４】
【発明が解決しようとする課題】
一般に、ガスコンロ装置においては、使用時には安定して設置されるとともに被加熱体が安定した状態で載置されることが必要である。上述した先願特許の携帯用ガスコンロにおいては、五徳を拡げることによって被加熱体を安定した状態で載置することが可能となる。しかしながら、先願特許の携帯用ガスコンロは、ガスボンベの外径によって設置面積が規定されることから大きな設置面積を確保することが困難となり、大きな被加熱体を加熱することができないといった問題がある。
【０００５】
このため、先願特許の携帯用ガスコンロにおいては、全長に対して外径が大きないわゆるずん胴のガスボンベを用いることによって設置面積を確保するようにしている。しかしながら、かかるガスボンベは、大きなスペースを必要とすることから、ガスコンロが小型軽量に構成されていても全体として携帯性が悪くなるといった問題があった。
【０００６】
また、先願特許の携帯用ガスコンロにおいては、特許公報に具体的な構成が記載されていないが、ガスボンベを装着部に直接装着する構造として、一般にマウンティングカップのバルブ取付筒部に形成したねじを利用して装着部にねじ込んで装着する方法や、装着部に設けた係合部材をフランジ部に相対係合させるとともにこの係合部材を回動操作することによってガスボンベを装着部に装着させる方法、或いは装着部に設けたパイプ状の針部材をガスボンベの薄肉部分に差し込む方法等が採用されている。
【０００７】
しかしながら、ねじ込み構造は、装着部をフランジ部内に嵌合した状態でガスボンベを回転させるといった操作が必要であり、取り扱いが面倒であるといった問題があった。また、係合部材による係合構造は、コンロ本体に複数個の係合部材及びその支持構造が設けられることから構造が複雑であるといった問題があった。さらに、針部材の差込み構造は、コンロ本体に対してガスボンベをワンタッチで装着することで操作性の向上が図られるが、針部材が破損しやすく、また孔を穿けるためにガスボンベを再使用することができないといった問題があった。
【０００８】
従来のその他の小型ガスコンロとしては、例えば汁受け台の外周部に複数の支軸を設けてこれらにそれぞれ板状の五徳の一端部を回動自在に支持してなる五徳の開閉機構と、コンロ本体に対して同様に複数の支軸を設けてこれら支軸にそれぞれ板状の支持脚部材の一端部を回動自在に支持してなる支持脚の開閉機構とを備えたものが提供されている。かかるガスコンロは、使用時に各五徳や支持脚部材をそれぞれ接線方向に対して回動させてストッパによって係止するように構成されている。かかるガスコンロは、未使用時に多数個の五徳や支持脚部材が汁受け台の外周部やコンロ本体の外周部に沿った状態で折り畳まれることで小型化が図られるといった特徴がある。
【０００９】
しかしながら、かかるガスコンロ装置は、多数個の五徳や支持脚部材を順序よく畳み込まなければならないために操作が面倒であるとともに、収納状態でも多数個の五徳や支持脚部材が外方に突出することで空間効率が悪くなるといった問題がある。かかるガスコンロ装置は、支軸やストッパが設けられるために、部品数も多くかつ構造も複雑であるといった問題がある。
【００１０】
ところで、家庭等で用いられる比較的大型の卓上ガスコンロ装置には、一般にガスの流量を制御するガバナ機構が付設されている。ガバナ機構は、ガスボンベが異常加熱等によって内部圧力が急激に上昇するといった事態が発生した場合にガス流路を閉塞してバーナの自動消火を行ってガスボンベの爆発といった重大事故の発生を防止する安全機能も奏する。このように、卓上ガスコンロ装置においては、通常の使用状態においてガス圧力が所定の圧力を超えるとガバナ機構が作動してガスの供給を遮断するように構成されていた。また、ガスボンベにおいては、内部圧力が１３ｋｇ・ｆ／ｃｍ２以下において容器本体に変形を生じないこととする安全規格をクリアする必要がある。
【００１１】
しかしながら、上述したガバナ機構は、ガスコンロ装置の構造を大型かつ複雑化するとともにコストも高くしてしまう。このため、ガバナ機構は、上述した先願特許の携帯用ガスコンロ等のようにガスボンベを直結して用いるようなものには、野外での使用が主体で比較的放熱性が良いので異常加熱の事態が生じ難く、或いは小型化、軽量化が達成されないといった理由からほとんど付設されていなかった。
【００１２】
一方、ガスコンロは、比較的強い火力を得ることができることから、旅館や料理屋等において顧客に提供される鍋物や肉料理等の料理の加熱装置として固形燃料を用いたコンロ装置に代えて用いられることもある。かかるガスコンロは、一般家庭用に用いられているものが使用されるために、食膳に載せて使用するためにはあまりにも大型であるために他の料理が食膳に載せられないといった問題がある。
【００１３】
出願人は、先に外径寸法が約３５ｍｍ、ステム先端までの高さ寸法が約５３ｍｍ、重量が約２６ｇと極めて小型であり、内部に約１２ｇの液化燃料ガスを充填した新規な超小型のガスボンベを提供した。新規なガスボンベは、一人分の料理を加熱調理するために充分な容量の液化燃料ガスが充填されているため、これを使用することによって小型で携帯性に優れかつ限られた食膳スペースの有効活用を図るガスコンロの実現を可能とする。
【００１４】
したがって、本発明は、上述した超小型のガスボンベを用い、簡易な構成のガスボンベ装着部に対してワンタッチ操作で着脱するとともに装着状態が確実に保持されるようにし、使用時には安定した状態で設置されるとともに未使用時にはより小型化された状態となってスペース効率が図られるようにした、使い勝手と安全性かつ携帯性に優れた小型のガスコンロ装置を提供することを目的に提案されたものである。
【００１５】
【課題を解決するための手段】
上述した目的を達成する本発明にかかるガスコンロ装置は、缶本体の上部に、バルブ機構を収納固定するとともにステムを突出させたバルブ取付筒部が一体に膨出形成された超小型のガスボンベが用いられる。ガスコンロ装置は、バーナと五徳とが設けられた汁受け台を備え、燃焼部が構成される。ガスコンロ装置は、バーナに燃料ガスを供給するバルブ機構と、このバルブ機構を開閉作動する操作部材とが設けられ、上部には汁受け台が取り付けられるとともに下部にはガスボンベが装着されるガスボンベ装着部が設けられたコンロ本体を備える。
【００１６】
ガスボンベ装着部には、バルブ機構を介してバーナ機構に燃料ガスを供給するバルブ孔に連通するガス流路が開口されるとともに、嵌合されたガスボンベのバルブ取付筒部を保持するボンベ保持機構が設けられた嵌合凹部が形成される。
【００１７】
ガスボンベ装着部には、その嵌合凹部に、ガスボンベのバルブ取付筒部を貫通させる開口部の内周部に環状のボンベ保持部材組付部が設けられるとともに、このボンベ保持部材組付部内に弾性材によって略Ｕ字状に形成されたボンベ保持部材が少なくともその内周部位の一部を開口部内に突出されて組み付けられる。
【００１８】
ガスコンロ装置には、ガスボンベ装着部の嵌合凹部にバルブ取付筒部が押込み嵌合されてガスボンベが直接装着される。ガスコンロ装置は、嵌合凹部に嵌合されたバルブ取付筒部をボンベ保持機構によって保持する。ガスコンロ装置には、この状態でステムが押し込まれることによってガスボンベから開口部を介してガス流路内に燃料ガスが供給される。ガスコンロ装置は、操作部材を操作してバルブ機構を開放し、バーナに燃料ガスを供給した状態で点火プラグを作動して燃料ガスを燃焼させる。
【００１９】
ガスボンベは、バルブ取付筒部が、ガスコンロ装置に対して開口部を介して嵌合凹部に押込み嵌合される際に、ボンベ保持部材を拡径させながらバルブ取付筒部が嵌合凹部内に進入する。ガスボンベは、バルブ取付筒部がその外周部に形成したかしめ凹部をボンベ保持部材に対応する位置まで嵌合されると、かしめ凹部に対してボンベ保持部材が弾性変位した状態で相対係合することで、ガスボンベ装着部に装着保持される。ガスコンロ装置は、嵌合凹部にバルブ取付筒部を押込み嵌合するワンタッチ操作によってガスボンベの装着が可能とされる。ガスコンロ装置は、嵌合凹部からの引出し操作することでボンベ保持部材が拡径し、ワンタッチ操作によってガスボンベの取り外しが可能とされる。
【００２０】
【発明の実施の形態】
以下、本発明を適用した実施の形態について図面を参照して詳細に説明する。実施の形態として示すガスコンロ装置１０には、図１に示した超小型のガスボンベ１が装着して用いられる。ガスボンベ１は、缶本体２と、底板部材３とからなる。ガスボンベ１は、缶本体２の頂頭部に形成したバルブ取付筒部４内にステム５を有するバルブ機構６等が組み込まれて構成されている。ガスボンベ１には、缶本体２の内部空間に例えば比較的活性の低い液化ブタン等の液化燃料ガスが加圧状態で充填されている。
【００２１】
缶本体２は、スチール材、ステンレス材或いはアルミ材等の金属薄板材を材料として例えば深絞り加工を施すことによって継ぎ目の無い全体略釣り鐘を呈して形成されてなる。缶本体２には、頂頭部にステム孔が開口された筒状のバルブ取付筒部４が一体に膨出形成されている。缶本体２には、開放された底面部に底板部材３が組み付けられて全体密封容器を構成する。底板部材３は、内方に向かって緩やかな曲率を以って湾曲する断面円弧状を呈しており、内部空間の内圧に対する機械的強度を保持するとともに充填した液化燃料ガスの気化促進が図られるようにする。
【００２２】
バルブ機構６は、ガス流路が形成された筒状のバルブ本体部材の内部に、ステム５とともに詳細を省略するパッキン、ステムラバー、コイルスプリング、スプリング受け部材等の各部材が組み込まれて構成されている。バルブ機構６は、ステム孔からステム５の先端部を突出させ、コイルスプリングの弾性力によってこのステム５に突出習性を付与してなる。バルブ機構６は、ステム５が最大に突出した自然状態においてガス流路が閉塞されるとともに、ステム５が押し込まれた状態でガス流路が開放されてステム５から燃料ガスを噴出させる。
【００２３】
バルブ機構６は、バルブ取付筒部４にその外径を縮径するようにしてカシメ加工を施すことにより、バルブ本体部材がかしめられてこのバルブ取付筒部４内に固定される。したがって、ガスボンベ１には、図１に示すように、バルブ取付筒部４の外周部に全周に亘って断面が半円弧状を呈するカシメ凹部７が構成されている。
【００２４】
ガスボンベ１は、缶本体２の内部空間で液化燃料ガスの一部が気化することによって、缶本体２の内部圧力が外気圧よりも高い状態となっている。ガスボンベ１は、後述するようにガスコンロ装置１０のガスボンベ装着部１３に直接装着された状態において、ステム５が押し込まれた状態となる。ガスボンベ１は、これによってバルブ機構６が開放され、内部空間から気化した燃料ガスがコンロ本体１１内へと噴出する。
【００２５】
従来の一般的なガスボンベにおいては、既製品として提供されるバルブ機構を組み込んでマウンテンカップを製作し、このマウンテンカップを缶本体に対して組み付けて構成している。ガスボンベ１は、上述したように缶本体２にバルブ機構６を収納固定するバルブ取付筒部４を一体に形成して構成したことから、従来の一般的なガスボンベと比較して部品点数、製造工程の削減による製造コストの大幅な低減が図られる。ガスボンベ１は、従来の一般的なガスボンベでは実現し得なかった上述した寸法形状の小型化が図られるようになる。
【００２６】
ガスコンロ装置１０は、図２及び図３に示すように、コンロ本体１１に対してその上部に燃焼部１２が配置される。ガスコンロ装置１０は、コンロ本体１１の下部にガスボンベ装着部１３が構成され、使用時にはこのガスボンベ装着部１３に上述したガスボンベ１がワンタッチ操作で装着される。ガスコンロ装置１０は、図２に示す使用状態では、高さ寸法が約１１５ｍｍ、幅寸法及び奥行き寸法がそれぞれ約１１８ｍｍである。ガスコンロ装置１０は、図３に示す未使用状態では、高さ寸法が約８９ｍｍ、幅寸法が約７５ｍｍ、奥行き寸法が約９０ｍｍ程度となる。
【００２７】
コンロ本体１１は、図２乃至図４に示すように、器具栓部材１４と、その底面側に取り付けられたボンベホルダ部材１５とによって構成される。コンロ本体１１には、器具栓部材１４の上部に燃焼部１２を構成する汁受け台１６が取り付けられている。また、器具栓部材１４には、その内部に詳細を後述するバルブ機構１７が設けられるとともに、バルブ機構１７を開閉操作する操作ダイヤル部材１８と、圧電点火器１９とが配設されている。ボンベホルダ部材１５は、後述するようにガスボンベ装着部１３を構成し、外周部に詳細を後述する３本の設置脚部材２０が回動自在に支持されている。
【００２８】
器具栓部材１４には、図４及び図５に示すように、その内部に一端を側面に開口された水平方向のバルブ孔２１が設けられるとともに、上面にバーナ取付筒部２２が一体に形成されている。器具栓部材１４には、底面に開口してガスボンベ１のステム５が嵌合されるステム嵌合凹部２３が形成されている。バーナ取付筒部２２とステム嵌合凹部２３は、器具栓部材１４の中央部に位置して、互いに軸線を一致して形成されている。器具栓部材１４には、バーナ取付筒部２２の底面に開口する第１のガス流路２４がバルブ孔２１から連設されている。また、器具栓部材１４には、バルブ孔２１からステム嵌合凹部２３に連通する第２のガス流路２５が設けられている。
【００２９】
器具栓部材１４には、バルブ機構１７を構成するスピンドル軸部材２６が、開口部にねじ込まれたストッパナット２７によって抜け止めされた状態でバルブ孔２１に組み付けられている。バルブ孔２１は、大径部２１ａの先端にすり鉢状のノズル孔部２１ｂを介して小径部２１ｃが連設された段付き孔として構成されている。バルブ孔２１は、大径部２１ａに第１のガス流路２４が連設されるとともに小径部２１ｃに第２のガス流路２５が連設されている。大径部２１ａには、スピンドル軸部材２６を軸方向に移動自在に軸装する内周ねじが形成されている。バルブ孔２１は、詳細を後述するが操作ダイヤル部材１８を介してスピンドル軸部材２６が軸方向に移動動作されることによって、第１のガス流路２４と第２のガス流路２５との間の開閉制御が行われる。
【００３０】
スピンドル軸部材２６には、バルブ孔２１の内周ねじにねじ合わせされる外周ねじが形成されるとともに、バルブ孔２１の小径部２１ｃに嵌合することによって第２のガス流路２５を開閉する円錐形のバルブ部２６ａが先端部に一体に形成されている。スピンドル軸部材２６には、その外周部にバルブ孔２１の大径部２１ａをシーリングするＯリングが装着されている。スピンドル軸部材２６には、器具栓部材１４から露呈された他端部に軸方向のねじ孔が形成されており、このねじ孔にねじ込まれる取付ねじを介して操作ダイヤル部材１８が取り付けられている。
【００３１】
スピンドル軸部材２６は、操作ダイヤル部材１８が図２において反時計方向に回動操作されることによって、この操作ダイヤル部材１８と一体に回転しながら図４において右側へと軸方向に移動動作する。スピンドル軸部材２６は、これによってバルブ部２６ａがバルブ孔２１の小径部２１ｃから後退して、第２のガス流路２５−バルブ孔２１−第１のガス流路２４の経路からなるガス流路を開放する。
【００３２】
スピンドル軸部材２６は、操作ダイヤル部材１８が図２において時計方向に回動操作されることによって、この操作ダイヤル部材１８と一体に回転しながら図４において左側へと軸方向に移動動作する。スピンドル軸部材２６は、これによってバルブ部２６ａがバルブ孔２１の小径部２１ｃに嵌合し、第２のガス流路２５−バルブ孔２１−第１のガス流路２４の経路からなるガス流路を閉塞する。
【００３３】
バーナ取付筒部２２には、その内部にバーナ機構２８を構成するメッシュフィルタ２９とノズル部材３０とが組み付けられるとともに、外周部に汁受け台１６が取り付けられている。メッシュフィルタ２９は、第１のガス流路２４から供給される燃料ガスに含まれる不純物を除去する。ノズル部材３０は、バーナ取付筒部２２の内径とほぼ等しい外径を有するとともに内部に高さ方向のガス流路が形成された全体筒状を呈している。ノズル部材３０は、ガス流路の開口径が小径に絞られてノズル孔３０ａを構成することによって燃料ガスを燃焼部１２へと噴射供給する。
【００３４】
器具栓部材１４には、その底面部に開口して上述したステム嵌合凹部２３が形成されている。ステム嵌合凹部２３は、図４及び図５に示すように、開口部側の大径部２３ａと、この大径部２３ａに連続する中径部２３ｂと、この中径部２３ｂに連続して第２のガス流路２５が連通する小径部２３ｃとからなる段付き凹部として構成されている。
【００３５】
ステム嵌合凹部２３には、小径部２３ｃ内に第１のＯリング３１が組み込まれるとともに、中径部２３ｂ内に有底筒状のカラー３２を介して第２のＯリング３３が組み込まれている。また、ステム嵌合凹部２３には、大径部２３ａに第２のＯリング３３を小径部２３ｃ内に押さえ込むとともに後述するボンベ保持部材３５を保持する押えプレート部材３４が組み込まれている。押えプレート部材３４は、ガイド孔３４ａが形成されたリング状の部材であり、ガイド孔３４ａの内径がガスボンベ１のバルブ取付筒部４の外径よりもやや小径とされている。
【００３６】
第１のＯリング３１は、ステム嵌合凹部２３の小径部２３ｃとほぼ等しい外径を有するとともにガスボンベ１のステム５の外径とほぼ同等の内径を有している。第２のＯリング３３及びカラー３２は、ステム嵌合凹部２３の中径部２３ｂとほぼ等しい外径を有するとともにガスボンベ１のバルブ取付筒部４の外径とほぼ等しい内径を有している。したがって、ステム嵌合凹部２３には、後述するようにガスボンベ１のバルブ取付筒部４が嵌合されるが、第１のＯリング３１によってステム５の外周部をシーリングするとともに第２のＯリング３３によってバルブ取付筒部４の外周部をシーリングする。
【００３７】
ボンベ保持部材３５は、後述するようにガスボンベ１がそのバルブ取付筒部４をステム嵌合凹部２３に押込み嵌合された状態で、このバルブ取付筒部４のカシメ凹部７と相対係合する。ボンベ保持部材３５は、弾性を有する線条材が用いられ、図６に示すように半円形部３５ａと、この半円形部３５ａからそれぞれ延長された脚部３５ｂ、３５ｃとからなる全体略馬蹄形を呈している。
【００３８】
ボンベ保持部材３５は、半円形部３５ａの内径ｒに対して脚部３５ｂ、３５ｃの対向間隔ｄが小さく形成されている。ボンベ保持部材３５は、詳細には半円形部３５ａの内径ｒがガスボンベ１のバルブ取付筒部４の外径よりもやや小径でかつこのバルブ取付筒部４に形成されたカシメ凹部７の外径よりもやや大径とされている。また、ボンベ保持部材３５は、脚部３５ｂ、３５ｃの対向間隔ｄがバルブ取付筒部４のカシメ凹部７の外径よりもやや小さく設定されている。
【００３９】
ボンベ保持部材３５は、その材料特性により収斂習性及び拡径習性を有し、収斂状態或いは拡径状態において弾性力を畜勢する。ボンベ保持部材３５は、上述した構成から半円形部３５ａをガスボンベ１のバルブ取付筒部４が通過可能とするが、その際にバルブ取付筒部４によって脚部３５ｂ、３５ｃが拡張される。したがって、ボンベ保持部材３５は、半円形部３５ａが縮径された状態となるために、図５に示すようにバルブ取付筒部４のカシメ凹部７に対して弾性力を畜勢した状態で相対係合する。ボンベ保持部材３５は、この弾性力によってバルブ取付筒部４を挟持することにより、ガスボンベ１を保持する。ボンベ保持部材３５は、上述したようにバルブ取付筒部４をステム嵌合凹部２３に嵌合するワンタッチ操作によって、ガスボンベ１をガスボンベ装着部１３に装着可能とする。
【００４０】
ガスボンベ１は、ステム嵌合凹部２３に嵌合された状態においてステム５が押圧されて燃料ガスを第２のガス流路２５へと流入させる。燃料ガスは、第１のＯリング３１と第２のＯリング３３とによってステム嵌合凹部２３からの漏出が防止される。燃料ガスは、第２のガス流路２５からバルブ孔２１の小径部２１ｃへと流入しているが、操作ダイヤル部材１８による開放操作が行われていない状態ではバルブ機構１７が閉鎖されているためにバーナ機構２８までは流入しない。
【００４１】
ガスコンロ装置１０には、上述したように器具栓部材１４の底面にガスボンベ装着部１３を構成するボンベホルダ部材１５が組み付けられている。ボンベホルダ部材１５は、図７及び図８に示すように、上面部３６と、この上面部３６の底面側に一体に形成された筒状の外周部３７とからなる全体略カップ状を呈している。ボンベホルダ部材１５は、図４に示すように外周部３７が器具栓部材１４の外径よりもやや大径とされている。
【００４２】
ボンベホルダ部材１５は、図７及び図８に詳細を示すように、上面部３６の中心部に位置してガイド孔３８が形成されている。ガイド孔３８は、その内径が小型ガスボンベ１のバルブ取付筒部４の外径よりもやや大径とされている。ボンベホルダ部材１５には、ガイド孔３８の外周部に器具栓部材１４の底部が嵌合される組付凹部３９が形成されている。組付凹部３９は、その内径が器具栓部材１４の底部の外径とほぼ等しくされており、器具栓部材１４とボンベホルダ部材１５とを位置決め状態で組み合わせる。
【００４３】
ボンベホルダ部材１５には、ガイド孔３８の開口縁に沿って、詳細を後述するボンベ保持部材３５が組み付けられるボンベ保持部材組付け凹部４０が形成されている。また、ボンベホルダ部材１５には、上面部３６の側方に位置して圧電点火器１９を取り付ける圧電点火器取付部４１が一体に形成されている。圧電点火器取付部４１は、全体角筒状の部位であり、ボンベホルダ部材１５を器具栓部材１４に組み合わせた状態において操作ダイヤル部材１８が位置される前面部位４１ａ側が切り欠かれている。さらに、ボンベホルダ部材１５には、ガイド孔３８を挟んで上面部３６に、器具栓部材１４に取り付けるための一対の取付孔４２が形成されている。ボンベホルダ部材１５は、内部にガスボンベ１が装填されるボンベ装填空間部４３を構成している。
【００４４】
ボンベ保持部材組付け凹部４０は、ボンベホルダ部材１５にボンベ保持部材３５を収納するに足る大きさを以って形成された全体Ｕ字状の凹部であり、図７及び図８に示すように相対する内周部位４０ａ、４０ｂがガイド孔３８にそれぞれ開口されている。ボンベ保持部材組付け凹部４０は、その溝幅がボンベ保持部材３５の線径よりもやや大きく形成されている。ボンベ保持部材組付け凹部４０には、脚部３５ｂ、３５ｃをやや拡張した状態で、ボンベ保持部材３５が組み付けられる。ボンベ保持部材組付け凹部４０には、図７において鎖線で示すように、内周部位３５ｄの一部を内周部位４０ａ、４０ｂからガイド孔３８内に突出させるようにしてボンベ保持部材３５が組み付けられる。ボンベ保持部材３５は、ボンベホルダ部材１５に器具栓部材１４を取り付けることにより、この器具栓部材１４のステム嵌合凹部２３に組み付けた押えプレート部材３４によってボンベ保持部材組付け凹部４０内に組み付けられた状態で保持される。
【００４５】
ボンベホルダ部材１５には、外周部３７に、円周方向に対して互いに等間隔に位置し、設置脚部材２０を支持する３個の設置脚取付部４４が形成されている。各設置脚取付部４４は、図２及び図３に示すように外周部３７の下方に開口された矩形凹部からなり、それぞれ図示しないがねじ孔が設けられている。
【００４６】
以上のように構成されたボンベホルダ部材１５は、器具栓部材１４の底部に対して組付凹部３９を嵌合するとともに取付孔４２にそれぞれ取付ボルト４５をねじ込むことによって、器具栓部材１４に一体に組み合わされる。ボンベホルダ部材１５には、圧電点火器取付部４１に、圧電点火器１９が取り付けられる。圧電点火器１９は、図２及び図３に示すように切り欠かれた前面部位４１ａに操作部１９ａを臨ませて圧電点火器取付部４１に取り付けられる。なお、圧電点火器１９は、詳細を省略するがケース内に作動部材が摺動自在に組み込まれており、この作動部材によって圧電素子を作動して後述する点火プラグ５６から火花を発生させる。
【００４７】
なお、ガスコンロ装置１０においては、作動部材を独立して押圧操作することによって圧電点火器１９が駆動されるように構成したが、例えば操作ダイヤル部材１８を介して駆動するようにしてもよい。ガスコンロ装置１０は、この場合操作ダイヤル部材１８に作動カムを設け、この操作ダイヤル部材１８を回転操作してバルブ機構１７を開放すると同時に作動カムによって作動部材が押圧されて圧電点火器１９を駆動するように構成される。また、ガスコンロ装置１０は、圧電点火器１９や点火プラグ５６を用いずに適宜の着火器によって着火を行うようにしてもよい。
【００４８】
ガスコンロ装置１０には、使用状態において安定した状態での設置を可能とする３個の設置脚部材２０が設けられている。各設置脚部材２０は、ボンベホルダ部材１５の外周部３７に形成した設置脚取付部４４に取付ねじ４６を介してそれぞれ一端部が回動自在に支持されている。各設置脚部材２０は、図２及び図３に示すように支点部２０ａから脚部２０ｂが屈折して延長された全体略へ字状を呈しており先端に接地部２０ｃが一体に折曲形成されている。各設置脚部材２０は、図２に示すように拡げられた状態において、支点部２０ａの側縁が設置脚取付部４４の上縁に当接するストッパ部２０ｄとして構成されてなる。
【００４９】
なお、各設置脚部材２０は、例えば支点部２０ａと取付ねじ４６との間にトーションスプリングを装着し、このトーションスプリングの弾性力によって後述する収納側、すなわち図２において反時計方向に付勢するようにしてもよい。また、各設置脚部材２０は、例えば取付ねじ４６に座金と波ワッシャ等を組み込むことにより緩止めを施すようにしてもよい。
【００５０】
各設置脚部材２０は、ガスコンロ装置１０の使用時には、図２に実線で示すようにボンベホルダ部材１５に対してそれぞれ回転操作されて拡げられた状態とされる。各設置脚部材２０は、この状態においてストッパ部２０ｄが設置脚取付部４４の上縁部に当接して拡げた状態に保持される。各設置脚部材２０は、同図に示すようにこの状態において器具栓部材１４に装着されたガスボンベ１を接地面からやや浮かした状態に保持するに足る長さを有している。
【００５１】
したがって、ガスコンロ装置１０は、各設置脚部材２０を拡げた状態とすることにより充分な設置スペースが確保されることで燃焼部１２に比較的大きくかつ重量のある被加熱体を載置した場合においても安定性が保持されるようになる。ガスコンロ装置１０は、各設置脚部材２０によってガスボンベ１を接地面から浮かした状態で保持することにより、このガスボンベ１が装着されたガスボンベ装着部１３に不要な力が加わらないようにしてガス漏れ等が生じないように構成されている。
【００５２】
各設置脚部材２０は、ガスコンロ装置１０の未使用時には、図２に実線で示した状態から矢印で示すように反時計方向へと回転操作される。各設置脚部材２０は、これにより同図鎖線及び図３に示すように器具栓部材１４に沿って収納された状態とされる。したがって、ガスコンロ装置１０は、各設置脚部材２０を器具栓部材１４に沿って収納することでより小型化され、携帯性の向上が図られる。
【００５３】
ガスコンロ装置１０においては、上述したように各設置脚部材２０を、ボンベホルダ部材１５に対して回動自在に支持した構成としたが、かかる構成に限定されるものでは無い。各設置脚部材２０は、例えばボンベホルダ部材１５に一端部を支持するとともにヒンジ等を介して折り畳み自在に構成したものや、伸縮自在に構成したものであってもよい。また、各設置脚部材２０は、互いに等間隔に配置された４個或いはさらに多数個によって構成してもよい。
【００５４】
ガスコンロ装置１０は、ボンベホルダ部材１５から各設置脚部材２０を取り外した使用形態も可能である。ガスコンロ装置１０は、この場合例えば五徳容器等に収納することで安定した状態とされるとともにガスボンベ１に負荷がかからないように使用することが好ましい。
【００５５】
燃焼部１２は、汁受け台１６と、バーナ機構２８及び汁受け台１６にそれぞれ回動自在に組み付けられた３個の五徳４７等の部材により構成されている。燃焼部１２は、詳細を後述するように使用時において汁受け台１６に対して五徳４７がそれぞれ拡げられることによって鍋等のより大きくかつ重量のある被加熱体であっても安定した状態で載置されることを可能とするように構成されている。
【００５６】
汁受け台１６は、被加熱体の載置部とともにいわゆる汁受けと風防とを兼用する部材であり、底面部４８と、器具栓部材１４のバーナ取付筒部２２の外径とほぼ等しい内径を有する筒状の外周壁部４９と、底面部４８の中央部に一体に突設された取付筒部５０とから構成される。また、汁受け台１６には、底面部４８の側方に位置して圧電点火器取付部５１が一体に形成されている。汁受け台１６は、取付筒部５０を器具栓部材１４のバーナ取付筒部２２に嵌合してねじによって固定することによって、上述したようにこの器具栓部材１４の上部に取り付けられる。
【００５７】
取付筒部５０には、器具栓部材１４に汁受け台１６が取り付けられた状態において、図４に示すようにその内部にノズル部材３０が臨ませられる。取付筒部５０には、複数個の空気取入れ口５０ａが設けられており、この空気取入れ口５０ａから取り入れた空気とノズル部材３０から噴射供給された燃料ガスとが混合してバーナ機構２８へと供給されるようにする。
【００５８】
汁受け台１６には、図４に示すように底面部４８の内面中央部に位置して取付筒部５０に連通するガス孔５２が貫通して設けられている。汁受け台１６には、底面部４８の内面に位置してガス孔５２と同心とされて環状のバーナ取付部５３が一体に突出形成されている。バーナ取付部５３には、同図に示すようにバーナ機構２８を構成する下バーナ５４と上バーナ５５とが取り付けられている。バーナ機構２８は、下バーナ５４と上バーナ５５とから構成されることで、汁受け台１６に載置された被加熱体の底部を集中的に加熱して燃焼効率の向上を図るように構成されている。
【００５９】
汁受け台１６には、図２に鎖線で示すように底面部４８を貫通した点火プラグ５６がバーナ取付部５３に近接して配置されている。点火プラグ５６は、圧電点火器１９とコード５７を介して電気的に接続されており、圧電点火器１９が作動されると火花を発生させてバーナ機構２８から放出された燃料ガスを燃焼させる。
【００６０】
汁受け台１６には、外周壁部４９に３個の五徳取付部５８がそれぞれ一体に形成されている。各五徳取付部５８は、五徳４７をそれぞれ回転自在に支持する部位であり、図９に示すように高さ方向の取付孔５９を有する筒状を呈している。各五徳取付部５８には、取付孔５９の底部側にそれぞれコイルスプリング６０が装着されている。汁受け台１６には、各五徳取付部５８を構成する外周壁部４９に、各五徳４７をそれぞれ位置決めする複数のスリット状の係合凹部６１が形成されている。
【００６１】
以上のように構成された汁受け台１６には、各五徳取付部５８にそれぞれ五徳４７が回動自在に組み付けられる。各五徳４７は、図２に示すようにやや厚みを有する矩形片を呈して形成されており、一端部の底面に支軸部４７ａが一体に突設されてなる。各五徳４７は、支軸部４７ａの外径が五徳取付部５８の取付孔５９の内径とほぼ等しく、図示しないが底面に開口する高さ方向のねじ孔が設けられている。各五徳４７は、支軸部４７ａを取付孔５９に嵌合するとともにこの取付孔５９を介してねじ孔にねじ込まれる取付ねじ６２により、それぞれ五徳取付部５８に片持ち状態で組み合わされる。各五徳４７には、基端部の底面に五徳取付部５８側の係合凹部６１に対応して係合凸部４７ｂが一体に形成されている。
【００６２】
各五徳４７は、ガスコンロ装置１０の未使用時には、図９において実線で示すように汁受け台１６の投影平面内に収納された状態とされる。したがって、ガスコンロ装置１０は、より小型化された形態となり、携帯性の向上が図られる。
【００６３】
各五徳４７は、ガスコンロ装置１０を使用するに際して、図９において実線で示した汁受け台１６の内部に収納した状態から、同図の矢印Ａで示すように上方へと持ち上げられる。各五徳４７は、これによって支軸部４７ａが五徳取付部５８内を上方へと移動してコイルスプリング６０に弾性力を畜勢する。各五徳４７は、同図の矢印Ｂで示すように支軸部４７ａを支点として汁受け台１６の外側へと回動操作される。
【００６４】
各五徳４７は、同図において２点鎖線で示すように汁受け台１６の外側まで回動操作されると、係合凸部４７ｂが五徳取付部５８側の係合凹部６１にそれぞれ形成した係合凹部６１に対応位置する。各五徳４７は、コイルスプリング６０の弾性力によって同図において１点鎖線で示すように係合凸部４７ｂが係合凹部６１に相対係合して矢印Ｃで示すように下降して汁受け台１６の外周壁部４９から突出した状態に保持される。したがって、ガスコンロ装置１０は、各五徳４７を介して汁受け台１６上により大きな外形かつ重量のある被加熱体を載置することを可能とする。
【００６５】
各五徳４７は、上述したようにガスコンロ装置１０が使用されるに際して、それぞれ五徳取付部５８から上方へと引き上げられて回動操作される。各五徳４７は、この際にコイルスプリング６０の畜勢された弾性力によって係合凸部４７ｂが係合凹部６１に確実に相対係合される。
【００６６】
なお、上述した汁受け台１６は、円形に形成されているが、かかる形状に限定されるものでは無いことは勿論である。汁受け台１６は、例えば矩形或いは多角形等の適宜の形状を呈するものが用いられる。汁受け台１６には、例えば矩形のものが用いられた場合、五徳取付部５８を外周壁部４９の各コーナ部にそれぞれ形成してそれぞれに五徳４７が回動自在に組み合わされる。また、五徳取付部５８には、コイルスプリング６０を装着し五徳４７に係合凸部４７ｂと係合凹部６１との係合習性を付与するようにしたが、特にこれを設けなくとも実用上の問題は無い。
【００６７】
以上のように構成されたガスコンロ装置１０においては、図５に示すようにガスボンベ１がそのバルブ取付筒部４をステム嵌合凹部２３に嵌合されて器具栓部材１４に対して装着される。ガスコンロ装置１０は、ガイド孔３８内に臨ませられたボンベ保持部材３５の脚部３５ｂ、３５ｃが拡径することにより、ガスボンベ１のバルブ取付筒部４をボンベホルダ部材１５のガイド孔３８に通過させる。
【００６８】
ガスコンロ装置１０は、図４に示すようにバルブ取付筒部４がステム嵌合凹部２３に嵌合された状態において、ボンベ保持部材３５が縮径してカシメ凹部７に相対係合することによってガスボンベ１を保持する。ガスコンロ装置１０は、この状態においてガスボンベ１のステム５をステム嵌合凹部２３の天井面によって押圧して内部に押し込んだ状態とする。ガスコンロ装置１０は、ガスボンベ１のステム５の外周部を第１のＯリング３１によってシーリングするとともに、バルブ取付筒部４の外周部を第２のＯリング３３によってシーリングする。ガスコンロ装置１０は、上述したステム５の押込み動作によってガスボンベ１のバルブ機構６を開放して、ステム５から燃料ガスを噴出させる。ガスコンロ装置１０には、噴出された燃料ガスが第２のガス流路２５を介してバルブ孔２１の小径部２１ｃへと供給される。
【００６９】
ガスコンロ装置１０においては、操作ダイヤル部材１８が図２において反時計方向へと回動操作されることによって、バルブ孔２１内をスピンドル軸部材２６が図４において右側へと軸方向に移動してバルブ部２６ａによるノズル孔部２１ｂの閉塞状態が解除される。ガスコンロ装置１０においては、これによって燃料ガスが小径部２１ｃ及びノズル孔部２１ｂを介して第２のガス流路２５へと流入して、バーナ機構２８へと供給されるようになる。
【００７０】
燃料ガスは、第２のガス流路２５−第１のガス流路２４−メッシュフィルタ２９−ノズル部材３０の経路を介して、ノズル孔３０ａから汁受け台１６のガス孔５２内へと噴射供給される。燃料ガスは、ガス孔５２内において取付筒部５０に設けた空気取入れ口５０ａから取り入れられた空気と混合されて、下バーナ５４及び上バーナ５５へと供給される。
【００７１】
ガスコンロ装置１０においては、圧電点火器１９の操作部１９ａが押圧操作されることによって作動部材が動作されて点火プラグ５６から火花を発生させて、上バーナ５５から放出された燃料ガスを燃焼させる。ガスコンロ装置１０においては、下バーナ５４と上バーナ５５とによって各五徳４７上に載置された被加熱体の底面を集中して加熱し、大きな熱量の燃料ガスによって被加熱体を素早く加熱する。ガスコンロ装置１０においては、このように被加熱体を短時間で加熱することで、鍋物等の料理等の味を充分に引き出すようにする。
【００７２】
ガスコンロ装置１０においては、上述したようにバルブ取付筒部４をステム嵌合凹部２３に押込み嵌合するワンタッチ操作によってガスボンベ１の装着操作が行われることで、取り扱いが極めて簡便となる。ガスコンロ装置１０においては、大型で複雑な保持機構を介すること無く収斂、拡径習性が付与された線条体からなるボンベ保持部材３５と、バルブ取付筒部４に形成したカシメ凹部７との構成を巧みに利用してガスボンベ１の装着状態を保持することで、構造の簡易化とコストの低減が図られる。
【００７３】
ガスコンロ装置１０は、使用後にはガスボンベ１をステム嵌合凹部２３から引抜き操作する。ガスボンベ１は、引抜き操作によってバルブ取付筒部４がそのカシメ凹部７に相対係合したボンベ保持部材３５を拡径させる。ガスボンベ１は、これによってバルブ取付筒部４がステム嵌合凹部２３から抜き出てガスコンロ装置１０からワンタッチで取り外される。ガスボンベ１は、引抜き操作に際してひねりを加えることによってより軽微な力によって取り外しが可能となる。
【００７４】
ガスコンロ装置１０においては、操作ダイヤル部材１８が図２において時計方向に回動操作されると、スピンドル軸部材２６がバルブ孔２１内を図４において左側へと軸方向に移動する。ガスコンロ装置１０においては、スピンドル軸部材２６のバルブ部２６ａがバルブ孔２１のノズル孔部２１ｂに嵌合することでバルブ機構１７の閉塞動作が行われる。なお、ガスコンロ装置１０においては、ガスボンベ１の取出し操作と操作ダイヤル部材１８の回動操作のいずれを先行して行ってもよいが、操作ダイヤル部材１８を操作してバルブ機構１７を先に閉塞することが好ましい。
【００７５】
ガスコンロ装置１０は、使用するに際して各五徳４７が図３に示した状態から上述した一連の操作を行われて、図２及び図９において二点鎖線で示すように汁受け台１６から拡げられた状態に設定される。ガスコンロ装置１０においては、各設置脚部材２０が図３に示した状態から回動操作されて図２に示すようにボンベホルダ部材１５から拡げられた状態とされる。ガスコンロ装置１０には、拡げられた各五徳４７上に被加熱体が載置されてスタンバイ状態とされる。ガスコンロ装置１０は、上述した操作ダイヤル部材１８の回転操作と圧電点火器１９の操作とによって燃料ガスを燃焼させて被加熱体の加熱調理を行う。ガスコンロ装置１０は、被加熱体を強い火力で短時間で加熱することで、料理の味を損なうことなく加熱する。
【００７６】
ガスコンロ装置１０においては、使用後には、上述した操作ダイヤル部材１８を図２において時計方向に回転する操作を行うことにより消火操作が行われる。ガスコンロ装置１０においては、汁受け台１６等の各部が充分に冷えた状態で、拡げられた各五徳４７を上述した操作によってそれぞれ汁受け台１６の内部に収納する操作が行われる。
【００７７】
ガスコンロ装置１０においては、拡げられた各設置脚部材２０が図２において反時計方向へと回転操作されて、図３に示した器具栓部材１４に沿って収納する操作が行われる。ガスコンロ装置１０においては、ステム嵌合凹部２３からバルブ取付筒部４が引き抜かれることによって、ガスボンベ装着部１３に装着されたガスボンベ１が取り外される。
【００７８】
ガスコンロ装置１０は、ガスボンベ１がガスボンベ装着部１３に対してワンタッチで着脱操作されることで操作性の向上が図られる。ガスコンロ装置１０は、缶本体２に孔等を開けたり栓部材を内部に落とすといった操作を行わず使用後にバルブ機構６を初期状態に復帰させることで、ガスボンベ１の再使用を可能とする。ガスコンロ装置１０は、汁受け台１６に各五徳４７が収納されるとともに各設置脚部材２０が器具栓部材１４に沿って収納されることで、全体が小型化された状態で取り扱うことができ、携帯性の向上が図られる。ガスコンロ装置１０は、使用後においても固形燃料のように五徳４７の洗浄作業に手間を取らせることが無くまたガスボンベ１の着脱が簡易であることから取り扱いが極めて簡便である。したがって、ガスコンロ装置１０は、宴会のように多量に使用される場合において、取り扱いを大幅に効率化させる。
【００７９】
ガスコンロ装置１０は、使用状態においてガスボンベ１が異常加熱されて内部圧力が例えば９ｋｇ・ｆ／ｃｍ2を超えるような状態となった場合に、ボンベホルダ部材１５の弾性力に抗してバルブ取付筒部４がステム嵌合凹部２３から自然離脱する。すなわち、ガスコンロ装置１０は、ガスボンベ１の異常内部圧力によってバルブ取付筒部４に抜け方向の大きな圧力が作用され、この圧力がボンベホルダ部材１５の弾性保持力よりも大きくなることによって自然離脱する。したがって、ガスコンロ装置１０は、大型のガスコンロ装置に備えられるガバナ機構と同様に、ガスボンベの異常圧力を検出してガス供給が遮断される機能を有することで安全性の向上が図られる。
【００８０】
【発明の効果】
以上詳細に説明したように、本発明にかかるガスコンロ装置によれば、コンロ本体のガスボンベ装着部に設けた嵌合凹部にバルブ取付筒部を嵌合するワンタッチ操作によって、ボンベホルダ機構によりバルブ取付筒部が保持されてガスボンベを直接装着するように構成されている。したがって、ガスコンロ装置は、ガスボンベの保持構造が極めて簡易となり部品点数及び組立工数が削減されてコストの低減が図られる。ガスコンロ装置は、簡単な操作でガスボンベの着脱が行われることから、操作性の向上が図られる。ガスコンロ装置は、構造の簡易化によって小型されることで、携帯性の向上が図られる。
【００８１】
また、ガスコンロ装置は、コンロ本体に対して各設置脚部材を回動自在に支持し、各設置脚部材を使用時にはコンロ本体から外方へと拡げた状態に回動操作するとともに、未使用時にはコンロ本体に沿って収納するように構成されている。したがって、ガスコンロ装置は、使用時には大きな設置スペースが確保されてより安定した状態で載置することが可能となり、使い勝手とともに安全性の向上が図られる。ガスコンロ装置は、未使用時には各設置脚部材がコンパクトに納められることで全体的により小型化され、携帯性の向上が図られる。
【００８２】
さらに、ガスコンロ装置は、汁受け台に対して各五徳を回動自在に支持し、各五徳を使用時には汁受け台から外方へと拡げた状態に回動操作するとともに、未使用時には汁受け台の投影平面内に収納されるようになる。したがって、ガスコンロ装置は、使用時には比較的大型の被加熱体であってもこれを五徳上に安定した状態で載置することを可能とし、使い勝手とともに安全性の向上が図られる。ガスコンロ装置は、未使用時には各五徳がコンパクトに納められることで全体的により小型化され、携帯性の向上が図られる。
【００８３】
ガスコンロ装置は、小型軽量で携帯性に優れることで、屋外等で手軽に使用される。ガスコンロ装置は、超小型のガスボンベを使用し、小型で安全性に優れかつ取扱が簡便であるとともに比較的強い火力を得ることができることから、一般家庭の食卓でもセカンドコンロとして手軽に使用されるばかりでなく、旅館や料理屋等においても好適に使用され、素材を生かした鍋物や肉料理等の料理が顧客に対して提供されるようにする。
【図面の簡単な説明】
【図１】本発明にかかる小型のガスコンロ装置に使用される超小型のガスボンベの正面図である。
【図２】同ガスコンロ装置の使用状態の正面図である。
【図３】同ガスコンロ装置の未使用状態を示す正面図である。
【図４】同ガスコンロ装置に備えられるコンロ本体の構成を説明する要部縦断面図である。
【図５】同ガスコンロ装置のコンロ本体に構成されたガスボンベ装着部にガスボンベを装着した状態を説明する要部縦断面図である。
【図６】同ガスコンロ装置のコンロ本体に設けられたガスボンベ保持機構を構成するボンベ保持部材の平面図である。
【図７】同ガスコンロ装置のコンロ本体に設けられたガスボンベ装着部を構成するガスボンベホルダ部材の平面図である。
【図８】同ガスボンベホルダ部材の縦断面図である。
【図９】同ガスコンロ装置の燃焼部を構成する汁受け台に付設された五徳の支持構造の説明図である。
【符号の説明】
１  ガスボンベ、２  缶本体、４  バルブ取付筒部、５  ステム、６  バルブ機構、７  カシメ凹部、１０  ガスコンロ装置、１１  コンロ本体部、１２  燃焼部、１３  ガスボンベ装着部、１４  器具栓部材、１５  ボンベホルダ部材、１６  汁受け台、１７  バルブ機構、１８  操作ダイヤル部材、１９  圧電点火器、２０  設置脚部材、２１  バルブ孔、２２  バーナ取付筒部、２３  ステム嵌合凹部、２６  スピンドル軸部材、２８  バーナ機構、３０  ノズル部材、３４  押えプレート部材、３５  ボンベ保持部材、４０  ボンベ保持部材組付け凹部、４７  五徳
【図１】
0004300438.tif 000002
【図２】
0004300438.tif 000003
【図３】
0004300438.tif 000004
【図４】
0004300438.tif 000005
【図５】
0004300438.tif 000006
【図６】
0004300438.tif 000007
【図７】
0004300438.tif 000008
【図８】
0004300438.tif 000009
【図９】
0004300438.tif 000010